(57)【要約】【課題】      ブロック塀等の上面に植木鉢を載置しても、植木鉢が転倒することなく、かつ落下しないようにする。【解決手段】  植木鉢固定受け皿１は、ブロック塀２の上端面に取付けられ、また、植木鉢３を収容固定している。植木鉢固定受け皿１は、ブロック塀２に取付けられた固定板１０と、この固定板１０に取付けられた受け皿本体２０と、固定板１０をブロック塀２に固定する抑え部材３０とが設けられている。固定板１０と受け皿本体２０とは凸状螺着部１１と凹状螺着部２４とで固定されている。固定板１０はネジ１３でブロック塀２に固定されている。受け皿本体２０には、内面上部の４箇所に板ばね２５が設けられている。板ばね２５が植木鉢３を挟持することにより固定している。【選択図】        図１
2005192513.tif 000002
【特許請求の範囲】
【請求項１】
基台に着脱自在に取り付けられる固定板と、該固定板に着脱自在に取付けられる受け皿本体とを有し、該受け皿本体は、植木鉢が載置される底板部と、該底部の周縁に形成された側板と、該側板の内面に形成され収容した植木鉢を挟み込んで固定する弾性固定手段とを有することを特徴とする植木鉢固定受け皿。
【請求項２】
前記固定板の基台への取付けが螺着により行なわれている請求項１記載の植木鉢固定受け皿。
【請求項３】
前記固定板の基台への取付けが、固定板の上面に密着して設けられ固定板の動きを規制する抑え部材により行なわれている請求項１又は２記載の植木鉢固定受け皿。
【請求項４】
前記受け皿本体の固定板への取付けが、螺着により行なわれている請求項１、２又は３記載の植木鉢固定受け皿。
【請求項５】
前記弾性固定手段が、側板に設けられた板バネである請求項１、２、３又は４記載の植木鉢固定受け皿。
【発明の詳細な説明】
【技術分野】
【０００１】
本発明は、塀、棚等の上面に植木鉢を載置する際、植木鉢が転倒することなく固定できるようにした植木鉢固定受け皿に関するものである。
【背景技術】
【０００２】
近年、ガーデニングが盛んになり、ブロック塀の上面に植木鉢を載置したり、庭の中に棚を設置し、その棚の上面に植木鉢を載置したりして、植木を楽しむ家庭が増えてきた。
【０００３】
ところで、ブロック塀等の上面に載置した植木鉢は、地震でブロック塀が揺れた場合や、台風等の強風を受けた場合、転倒してブロック塀から落下する恐れがあった。
【０００４】
従来、このような植木鉢の落下を防止する手段として、側壁と底壁からなる受台をブロック塀の上端面に固定し、この受台に植木鉢を収容することにより植木鉢がブロック塀から落下しないようにしたコンクリートブロック塀用植木鉢載せ台が提案されている（例えば、特許文献１参照）。
【０００５】
また、植木鉢の転倒を防止する手段として、植木鉢を台に載置し、索条体で植木鉢を台に固定する植木鉢転倒防止台（例えば、特許文献２参照）や、植木鉢を受け皿に載置し、ベルトで植木鉢を受け皿に固定する植木鉢転倒防止用受け皿（例えば、特許文献３参照）が提案されている。
【０００６】
【特許文献１】特開平１１−１３７３９２号公報
【特許文献２】特開２００２−２２３６４０号公報
【特許文献３】特開２００１−１６１１７２号公報
【発明の開示】
【発明が解決しようとする課題】
【０００７】
しかしながら、上述した植木鉢載せ台は、植木鉢がブロック塀から落下することは防止できるが、植木鉢載せ台内において植木鉢が転倒するのを防止することはできないものであった。また、植木鉢転倒防止台と植木鉢転倒防止用受け皿とは、植木鉢が転倒するのを防止することはできるが、ブロック塀等の上面に載置した際、ブロック塀から落下するのを防止することはできないものであった。
【０００８】
本発明は、以上の問題点を解決し、ブロック塀等の上面に植木鉢を載置しても、植木鉢が転倒することなく、かつ落下しないようにした植木鉢固定受け皿を提供することを目的とする。
【課題を解決するための手段】
【０００９】
本発明による植木鉢固定受け皿は、基台に着脱自在に取り付けられる固定板と、該固定板に着脱自在に取付けられる受け皿本体とを有し、該受け皿本体は、植木鉢が載置される底板部と、該底部の周縁に形成された側板と、該側板の内面に形成され収容した植木鉢を挟み込んで固定する弾性固定手段とを有することを特徴として構成されている。
【発明の効果】
【００１０】
本発明による植木鉢固定受け皿においては、植木鉢を受け皿本体に載置する際、植木鉢は弾性固定手段を押しつつ下方に移動し、最終的に底板部に載置されるので、植木鉢は常に弾性固定手段により挟み込まれ受け皿本体に固定される。また、固定板は基台に固定されるとともに、受け皿本体が固定板に固定されるので、植木鉢が塀等の基台から落下することがない。
【発明を実施するための最良の形態】
【００１１】
本発明の植木鉢固定受け皿においては、固定板が基台に着脱自在に取付けられる。固定板が取付けられる基台は、植木鉢を載置しようとする構築物等で、例えば、塀、柵、フェンス、棚があり、また、これらの塀等の材質は特に限定されず、ブロック、コンクリート、木材等を使用することができる。固定板を基台に取付けるには、ネジ等を使用して螺着により直接基台に取付けても、別部材である抑え部材で固定板を基台に押さえつけて動きを規制することにより取付けてもよく、さらにこれらの手段を併用してもよく、併用することにより、固定板をよく確実に基台に固定することができる。また、抑え部材を使用する場合は、基台を螺着のために加工する必要が無いので、取付け作業が簡単なものである。
【００１２】
固定板には、受け皿本体が着脱自在に取付けられる。受け皿本体は、植木鉢を収容固定するものであり、固定板へ取付けるには、ネジ部を形成して螺着により取付けても、別体であるネジで取付けても、圧入することにより取付けてもよく、螺着によると、着脱が簡単で、かつ確実に取付けることができるので好ましい。
【００１３】
受け皿本体は、植木鉢が載置される底板部と、該底部の周縁に形成された側板と、該側板の内面に形成され収容した植木鉢を挟み込んで固定する弾性固定手段とを有している。弾性固定手段は、植木鉢を挟み込んで固定できる構成であれば特に限定されず、例えば、弧状の板ばねを側板の上端から設けることができる。このような弧状の板バネを用いると、植木鉢を下降させるにつれて板バネにより徐々に強く挟み込まれるので、植木鉢を収容が簡単で、かつ、強固に固定することができる。このような板バネは、側板と一体に形成されていても、別体で形成し、側板に取付けるようにしてもよい。
【００１４】
また、受け皿本体は、複数の大きさのものを用意することができ、受け皿本体を所定の大きさのものに変更することにより、所望の大きさの植木鉢を載置することができる。さらに、受け皿本体の形状は、円形に限定されるものでなく、四角形等、植木鉢の形状と相似の形状にすることができる。
【００１５】
本発明による植木鉢固定受け皿の一実施形態を図面を参照して説明する。
【００１６】
図１は植木鉢固定受け皿をブロック塀に取付けた状態の斜視図、図２は同上塀と直角方向から見た側面図、図３は同上塀と平行方向から見た側面図、図４は同上縦断面図、図５は図４中Ａ−Ａ線断面図、図６は受け皿本体の平面図である。
【００１７】
これらの図において、１は植木鉢固定受け皿で、この植木鉢固定受け皿１は、基台としてのブロック塀２の上端面に取付けられ、また、植木鉢３を収容固定している。この植木鉢固定受け皿１は、ブロック塀２に着脱自在に取付けられた固定板１０と、この固定板１０に着脱自在に取付けられた受け皿本体２０と、固定板１０の上面に設けられ固定板１０をブロック塀２に固定する抑え部材３０とが設けられている。
【００１８】
前記固定板１０は円盤状に形成され、その上面の中央部には上方へ突出した凸状螺着部１１が形成されている。また、凸状螺着部１１の中心にはネジ孔１２が貫通して形成されており、このネジ孔１２を介してネジ１３によりブロック塀２に固着されている。
【００１９】
受け皿本体２０は、植木鉢３が載置される底板２１が形成され、この底板部２１の周縁から斜上方に伸びて植木鉢３を収容固定する側板２２が形成されるとともに、下方に伸びて雨水、埃等の浸入を防止するためのスカート部２３が形成されている。底板部２１の下面中央部には、内面にネジが形成された凹状螺着部２４が形成され、この凹状螺着部２４が前記凸状螺着部１１に螺着することにより、受け皿本体２０が固定板１０に着脱自在に取付けられている。
【００２０】
前記側板２２には、内面上部の４箇所に弾性固定手段としての板ばね２５が設けられており、この板ばね２５は略円弧状に形成されており、下方へ行くにしたがって内側に突出するようになっている。
【００２１】
固定板１０の上面には抑え部材３０が設けられており、この抑え部材３０は、非可動板３１と摺動自在に設けられたスライド板３２とからなっている。非可動板３１は、天板３１１と、天板３１１から下方に折曲形成された側板３１２とが設けられ、天板３１１は中央に長孔３１３が形成され、この長孔３１３を前記固定板１０の凸状螺着部１１が上方へ通り抜けている。また、天板３１１の先端には上部にネジ山部分が突出するようにボルト３１４が設けられている。
【００２２】
スライド板３２は、天板３２１と、天板３２１から下方に折曲形成された側板３２２とが設けられ、天板３２１には、天板３１１と同様に中央に長孔３２３が形成され、天板３１１と同様に凸状螺着部１１が上方へ通り抜けている。また、天板３２１にはスライド孔３２４が形成されており、このスライド孔３２４に前記ボルト３１４が通り、ナット３２５を螺着することにより非可動板３１とスライド板３２とを一体に固定できるようになっている。
【００２３】
非可動板３１の側板３１２には、ネジが切られるとともにネジ３１５が螺着され、このネジ３１５の先端には係止板３１６が設けられており、ネジ３１５を締め付けることにより、側板３１２を外方向へ押圧するようになっている。また、スライド板３２の側板３２２にはゴムからなる係止板３２６が形成されており、この係止板３２６がブロック塀１に当接する。
【００２４】
以上のような植木鉢固定受け皿を使用するには、まず、固定板１０をブロック塀１に固定する。すなわち、ブロック塀１の所定個所（通常は、中央部分）にめねじを設け、ネジ１３を螺着させて固定する。次に、凸状螺着部１１が長孔３１３に入り込むように非可動板３１を被せる。この時、係止板３１６がブロック塀１に接触した状態としておく。
【００２５】
さらに、凸状螺着部１１が長孔３２３に入り込むようにスライド板３１を非可動板３１に被せ、スライド孔３２４から突出しているボルト３１４にナット３２５を螺着させる。これにより非可動板３１とスライド板３２とが一体に固定される。そして、ネジ３１５を締め付けることにより、係止板３１６と係止板３２６とでブロック塀１を挟持することになり、ブロック塀１に固定される。
【００２６】
次に、受け皿本体２０の凹状螺着部２４を凸状螺着部１１に螺着して、受け皿本体２０を固定板１０に固定する。この状態で植木鉢３を受け皿本体２０に収容すると、板ばね２５により植木鉢３は挟持され、受け皿本体２０に固定される。
【００２７】
また、幅の異なるブロック塀１に使用することができる。すなわち、図中二点鎖線で示すように、固定板１０を同様にブロック塀１の略中央に固定するとともに、スライド板３２を広げた状態で非可動板３１に取付けることにより、任意の幅を持つブロック塀１に固定することができる。
【図面の簡単な説明】
【００２８】
【図１】本発明による植木鉢固定受け皿の一実施形態をブロック塀に取付けた状態の斜視図
【図２】本発明による植木鉢固定受け皿の一実施形態をブロック塀に取付けた状態の塀と直角方向から見た側面図
【図３】本発明による植木鉢固定受け皿の一実施形態をブロック塀に取付けた状態の塀と平行方向から見た側面図
【図４】本発明による植木鉢固定受け皿の一実施形態をブロック塀に取付けた状態の縦断面図
【図５】図４中Ａ−Ａ線断面図
【図６】本発明による植木鉢固定受け皿の一実施形態の受け皿本体の平面図
【符号の説明】
【００２９】
１    植木鉢固定受け皿
２    基台
３    植木鉢
１０  固定板
１１  凸状螺着部
１３    ネジ
２０    受け皿本体
２１    底板
２２    側板
２４    凹状螺着部
２５    板ばね
３０    抑え部材
３１    非可動板
３１３  長孔
３１４  ボルト
３１５  ネジ
３２    スライド板
３２３  長孔
３２４  スライド孔
３２５  ナット
【図１】
2005192513.tif 000003
【図２】
2005192513.tif 000004
【図３】
2005192513.tif 000005
【図４】
2005192513.tif 000006
【図５】
2005192513.tif 000007
【図６】
2005192513.tif 000008